(57)【要約】【課題】放送コンテンツに関する情報の検索を他の放送用端末機に要求することで、ＳＰ（Service Provider）サーバーの負荷を抑制し得るようにした放送用端末機を提供する。【解決手段】本発明に係る放送コンテンツの情報を検索可能な放送用端末機１５２においては、受信した放送コンテンツに関する使用者所望の情報の検索要求をアドホックネットワークにより他の放送用端末機１５４，１５６へ送信した後、これに応じる他の放送用端末機１５４，１５６からの応答情報を受信し、当該受信応答情報に検索要求に該当する情報が含まれていれば該情報を表示部に表示する制御部を含むことを特徴とする。【選択図】図１
2006279953.tif 000002
【特許請求の範囲】
【請求項１】
受信した放送コンテンツに関する使用者所望の情報の検索要求を送信した後、これに応じる応答情報を受信し、該応答情報に前記検索要求に該当する情報が含まれている場合に当該情報を表示部に表示する制御部を含んで構成されることを特徴とする放送コンテンツの情報を検索可能な放送用端末機。
【請求項２】
前記応答情報に含まれている前記検索要求に該当する情報を格納するメモリをさらに含むことを特徴とする請求項１記載の放送コンテンツの情報を検索可能な放送用端末機。
【請求項３】
前記制御部は、前記使用者所望の情報の検索を要求する情報検索要求メッセージを、１つ以上の他の放送用端末機に送信することを特徴とする請求項１記載の放送コンテンツの情報を検索可能な放送用端末機。
【請求項４】
前記制御部は、前記情報検索要求メッセージを、ユニキャスト、マルチキャスト、ブロードキャスト方式のうちいずれか１つの方式で送信することを特徴とする請求項３記載の放送コンテンツの情報を検索可能な放送用端末機。
【請求項５】
前記制御部は、前記使用者所望の情報の検索要求をＳＰ（Service Provider）サーバーに送信することを特徴とする請求項１記載の放送コンテンツの情報を検索可能な放送用端末機。
【請求項６】
受信した放送コンテンツに関する使用者所望の情報の検索要求を送信した後、これに応じる応答情報を受信する段階と、
該応答情報に前記検索要求に該当する情報が含まれている場合に当該情報を表示する段階と、
を含むことを特徴とする放送用端末機における放送コンテンツの情報検索方法。
【請求項７】
前記応答情報に含まれている前記検索要求に該当する情報を格納する段階をさらに含むことを特徴とする請求項６記載の放送用端末機における放送コンテンツの情報検索方法。
【請求項８】
前記使用者所望の情報の検索要求を送信する際に、当該情報の検索を要求する情報検索要求メッセージを、１つ以上の他の放送用端末機に送信することを特徴とする請求項６記載の放送用端末機における放送コンテンツの情報検索方法。
【請求項９】
前記情報検索要求メッセージを、ユニキャスト、マルチキャスト、ブロードキャスト方式のうちいずれか１つの方式で送信することを特徴とする請求項８記載の放送用端末機における放送コンテンツの情報検索方法。
【請求項１０】
前記使用者所望の情報の検索要求を送信する際に、当該検索要求をＳＰサーバーに送信することを特徴とする請求項６記載の放送用端末機における放送コンテンツの情報検索方法。
【請求項１１】
受信した放送コンテンツに関する使用者所望の情報の検索を要求する情報検索要求メッセージを送信する第１放送用端末機と、
前記情報検索要求メッセージに応じた検索結果を含む検索情報応答メッセージを返信する第２放送用端末機と、
を含むことを特徴とする放送コンテンツの情報を検索可能な放送用システム。
【請求項１２】
前記第１放送用端末機に放送コンテンツをフォワードチャネルで伝送する第１基地局と、
前記第１放送用端末機からメッセージを受信してバックワードチャネルで伝送する第２基地局と、
をさらに含むことを特徴とする請求項１１記載の放送コンテンツの情報を検索可能な放送用システム。
【請求項１３】
前記第１放送用端末機は、前記検索情報応答メッセージに、前記検索要求に該当する情報が含まれていなかった場合、同情報の検索要求をＳＰサーバーに送信することを特徴とする請求項１１記載の放送コンテンツの情報を検索可能な放送用システム。
【請求項１４】
前記第１及び第２放送用端末機は、アドホックネットワークの無線リンクストラクチャーをくむことを特徴とする請求項１１記載の放送コンテンツの情報を検索可能な放送用システム。
【請求項１５】
前記第１放送用端末機は、前記情報検索要求メッセージを、ユニキャスト、マルチキャスト、ブロードキャスト方式のうちいずれか１つの方式で送信することを特徴とする請求項１１記載の放送コンテンツの情報を検索可能な放送用システム。
【請求項１６】
第１放送用端末機が、受信した放送コンテンツに関する使用者所望の情報を格納していないときに、当該情報の検索を第２放送用端末機に要求する検索要求段階と、
当該検索要求に該当する情報を前記第２放送用端末機が格納していたときに、前記第１放送用端末機が、該第２放送用端末機からその検索要求に該当する情報を受信して表示する検索結果受信段階と、
を含むことを特徴とする放送用端末機における放送コンテンツの情報検索方法。
【請求項１７】
前記第１放送用端末機が、前記使用者所望の情報を格納していたときは、該情報を表示する段階をさらに含むことを特徴とする請求項１６記載の放送用端末機における放送コンテンツの情報検索方法。
【請求項１８】
前記検索要求段階で前記第１放送用端末機は、前記使用者所望の情報の検索を要求する情報検索要求メッセージを前記第２放送用端末機に送信することを特徴とする請求項１７記載の放送用端末機における放送コンテンツ検索方法。
【請求項１９】
前記第１放送用端末機は、前記情報検索要求メッセージを、ユニキャスト、マルチキャスト、ブロードキャスト方式のうちいずれか１つの方式で送信することを特徴とする請求項１８記載の放送用端末機における放送コンテンツの情報検索方法。
【請求項２０】
前記検索結果受信段階は、
前記第２放送用端末機が、前記第１放送用端末機から前記検索要求を受けると、該検索要求に該当する情報を格納しているかどうか検索する段階と、
前記検索要求に該当する情報を前記第２放送用端末機が格納していたときに、前記第１放送用端末機が、該第２放送用端末機からその検索要求に該当する情報を受信する段階と、
当該第１放送用端末機が前記受信した情報を表示する段階と、
を含むことを特徴とする請求項１６記載の放送用端末機における放送コンテンツの情報検索方法。
【請求項２１】
前記第１放送用端末機が、前記第２放送用端末機から前記検索要求に該当する情報を受信する際に、前記第２放送用端末機は、前記検索要求された情報を含んだ情報検索応答メッセージを前記第１放送用端末機に伝送することを特徴とする請求項２０記載の放送用端末機における放送コンテンツの情報検索方法。
【請求項２２】
前記第２放送用端末機が１つ以上存在することを特徴とする請求項２１記載の放送用端末機における放送コンテンツの情報検索方法。
【請求項２３】
前記第１放送用端末機は、前記受信した情報をデータベースに格納することを特徴とする請求項１６記載の放送用端末機における放送コンテンツの情報検索方法。
【請求項２４】
前記検索要求に該当する情報を前記第２放送用端末機が格納していなかったときに、前記第１放送用端末機が、前記第２放送用端末機からその検索結果を含んだ情報検索応答メッセージを受信する段階と、
当該情報検索応答メッセージに基づいて、前記第１放送用端末機が、前記使用者所望の情報の検索をＳＰサーバーに要求する段階と、
をさらに含むことを特徴とする請求項２０記載の放送用端末機における放送コンテンツの情報検索方法。
【請求項２５】
前記情報検索応答メッセージは、前記検索要求に該当する情報が前記第２放送用端末機のデータベースに格納されていないことを知らせるメッセージであることを特徴とする請求項２４記載の放送用端末機における放送コンテンツの情報検索方法。
【請求項２６】
前記第１放送用端末機が前記受信した情報を表示する際に、当該受信した情報が前記放送コンテンツにオーバーレイするように表示することを特徴とする請求項２０記載の放送用端末機における放送コンテンツの情報検索方法。
【発明の詳細な説明】
【技術分野】
【０００１】
本発明は、移動通信端末機に係るもので、詳しくは、ＳＰ（Service Provider）サーバーに負荷をかけずにデジタルマルチメディア放送に関する情報を効率的に検索し得る、放送コンテンツの情報を検索可能な放送用端末機及びその方法に関するものである。
【背景技術】
【０００２】
一般に、移動通信端末機は、ＢＳ（Base Station）により形成されるサービス領域の中で移動しながらＭＳＣ（Mobile Switching Center）のスイッチング制御により、いつでもどこでも直ちに相手方に無線呼出及び無線接続して通信し得る装置であって、音声通信だけではなく、記号、数字、文字等から成るデータ通信及び映像信号を含むマルチメディア通信が可能である。
【０００３】
最近は、放送用端末機、ＰＤＡ（Personal Digital Assistants）端末機、スマート（Smart）フォン等、多様な機能を提供し得る移動通信端末機が開発されているが、特に、衛星を通じてオーディオ、ビデオ及びデータサービスを包括するデジタルマルチメディア放送を受信し得る放送用端末機の開発が活発になっている。以下、このような放送用端末機のうち、ＤＭＢ（Digital Multimedia Broadcasting）端末機を例に挙げて説明する。
【０００４】
従来の放送コンテンツの情報を検索可能なＤＭＢシステムにおいては、図４に示したように、放送コンテンツをフォワードチャネル（Forward Channel）で伝送する第１基地局１３０と、その放送コンテンツを受信可能であり且つ使用者が入力する検索要求に従って放送コンテンツに関する情報検索を実行するＤＭＢ端末機１５０と、当該ＤＭＢ端末機１５０からバックワードチャネル（Backward Channel）を通じて同情報の検索要求を受信する第２基地局１４０と、その検索要求をＰＤＳＮ（Packet Data Service Node）１２０を通じて受信し、当該検索要求に対する応答情報を提供するＳＰサーバー１１０と、を含んでいた。
【０００５】
このように構成された従来のＤＭＢ端末機の放送コンテンツ情報検索方法においては、図５に示したように、ＤＭＢ端末機が、放送コンテンツに関する情報の検索要求が使用者からあるかどうかを確認する段階（Ｓ２１０）と、放送コンテンツに関する情報の検索要求があった時、ＤＭＢ端末機が、該当する情報を格納しているかどうかを判断する段階（Ｓ２２０）と、該当する情報を格納していない時、ＤＭＢ端末機が、当該情報の検索をＳＰサーバーに要求する段階（Ｓ２３０）と、ＤＭＢ端末機が、その検索要求に対する応答情報をＳＰサーバーから受信する段階（Ｓ２４０）と、ＤＭＢ端末機が、返信されてきた応答情報を予め設定された方法により表示する段階（Ｓ２５０）と、を含む。
【０００６】
以下、このように構成された従来のＤＭＢ端末機の放送コンテンツ情報検索方法について詳細に説明する。
【０００７】
まず、ＤＭＢ端末機１５０は、放送コンテンツを伝送する第１基地局１３０を通じて放送ガイド情報を受信し、該受信した放送ガイド情報を使用者環境に合わせてディスプレイ装置に表示し、その中から使用者により所望の放送コンテンツが選択されると、該選択された放送コンテンツを伝送チャネルで受信する機能をもつ。
【０００８】
次いで、ＤＭＢ端末機１５０は、受信した放送コンテンツに関し、使用者から情報の検索要求があるかどうかを確認する（Ｓ２１０）。即ち、使用者は、受信した放送コンテンツに関連した詳細な情報を得るために、検索したいと思う事項を入力することで、該当する情報の検索をＤＭＢ端末機１５０に要求することができる。
【０００９】
使用者から検索要求を受けたＤＭＢ端末機１５０は、その要求に該当する情報が格納されているかどうかを判断する（Ｓ２２０）。即ち、ＤＭＢ端末機１５０は、多様な情報をメタデータフォーム（Meta Data Form）で格納しているので、該当する情報をメタデータから検索して表示することができる。
【００１０】
一方、ＤＭＢ端末機１５０は、要求された情報が格納されていない時、この使用者所望の情報の検索をＳＰサーバー１１０に要求する（Ｓ２３０）。即ち、ＤＭＢ端末機１５０は、同情報の検索を要求する検索要求（要求メッセージ）を生成し、該検索要求をバックワードチャネルを形成する第２基地局１４０、ＰＤＳＮ１２０を通じてＳＰサーバー１１０に送信する。そして、ＳＰサーバー１１０は、その検索要求を受信し、当該検索要求に基づいて使用者の要求に対応した情報を含む応答情報（応答メッセージ）を生成し、該応答情報をＤＭＢ端末機１５０に伝送する。
【００１１】
ＤＭＢ端末機１５０は、ＳＰサーバー１１０から伝送されてきた応答情報を受信し（Ｓ２４０）、該応答情報に基づいて、使用者が要求した情報の検索結果を予め決定された方法により表示することができる（Ｓ２５０）。予め決定された方法とはたとえば、受信放送コンテンツにオーバーレイ表示するような手法である。
【発明の開示】
【発明が解決しようとする課題】
【００１２】
上記の過程においてＳＰサーバー１１０は、放送コンテンツを受信する１つ以上のＤＭＢ端末機からの要求にすべて応じて情報を検索し、その検索結果を伝送しなければならないため、検索情報量に伴って負荷が増加するという短所がある。すなわち、放送コンテンツに係る情報を検索可能な従来のＤＭＢシステム及びその方法においては、受信したデジタル衛星放送に関する情報をＳＰサーバーに要求して検索し、該当する情報をＳＰサーバーから受信するようになっているため、要求にかかる情報量によってＳＰサーバーの負荷が過大になるという不具合があった。
【００１３】
従って、本発明の目的は、放送コンテンツに関する情報検索を１つ以上の他の放送用端末機に要求できるようにし、ＳＰサーバーにかかる負荷を抑制し得る放送用端末機及びその方法を提供することにある。また、本発明の他の目的は、放送コンテンツに関する情報の検索を１つ以上の他の放送用端末機に要求できるようにし、放送コンテンツに関する情報を効率的に検索し得る放送用システム及びその方法を提供することにある。
【課題を解決するための手段】
【００１４】
このような目的を達成するために、本発明に係る放送コンテンツの情報を検索可能な放送用端末機においては、受信した放送コンテンツに関する使用者所望の情報の検索要求を送信した後、これに応じる応答情報を受信し、該応答情報に前記検索要求に該当する情報が含まれている場合に当該情報を表示部に表示する制御部を含んで構成されることを特徴とする。
【００１５】
また、本発明に係る放送用端末機における放送コンテンツの情報検索方法は、受信した放送コンテンツに関する使用者所望の情報の検索要求を送信した後、これに応じる応答情報を受信する段階と、該応答情報に前記検索要求に該当する情報が含まれている場合に当該情報を表示する段階と、を含むことを特徴とする。
【００１６】
さらに、本発明に係る放送コンテンツの情報を検索可能な放送用システムにおいては、受信した放送コンテンツに関する使用者所望の情報の検索を要求する検索情報要求メッセージを送信する第１放送用端末機と、前記検索情報要求メッセージに応じた検索結果を含む検索情報応答メッセージを返信する第２放送用端末機と、を含むことを特徴とする。
【００１７】
そして、本発明に係る放送用端末機における放送コンテンツの情報検索方法においては、第１放送用端末機が、受信した放送コンテンツに関する使用者所望の情報を格納していないときに、当該情報の検索を第２放送用端末機に要求する検索要求段階と、当該検索要求に該当する情報を前記第２放送用端末機が格納していたときに、前記第１放送用端末機が、該第２放送用端末機からその検索要求に該当する情報を受信して表示する段階と、を含むことを特徴とする。
【発明の効果】
【００１８】
本発明に係る放送コンテンツの情報を検索可能な放送用端末機及びその方法においては、デジタルコンテンツに関する使用者所望の情報の検索を、１つ以上の他の放送用端末機に要求することができ、ＳＰサーバーにかかる負荷を抑制し得るという効果がある。
【００１９】
また、本発明に係る放送コンテンツの情報を検索可能な放送用端末機及びその方法においては、デジタルコンテンツに関する使用者所望の情報の検索を、１つ以上の他の放送用端末機に要求することができ、放送コンテンツに関する情報を効率的に検索し得るという効果がある。
【発明を実施するための最良の形態】
【００２０】
以下、放送コンテンツに関する使用者所望の情報検索を１つ以上の他の放送用端末機に要求することで、ＳＰサーバーにかかる負荷を抑制し、放送コンテンツに関する情報を効率的に検索し得る、本発明に係る放送コンテンツ情報を検索可能な放送用端末機及びその方法に対する実施形態について図面を用いて説明する。また、本発明の放送用端末機は、ＤＭＢシステムだけでなく、ＤＶＢ−Ｈ（Digital Video Broadcasting Handheld）やＭｅｄｉａ−Ｆｌｏ（Media-Forward link only）システムのように、デジタルマルチメディア放送信号を送受信し得る、国家や地域別に異なるシステムのいずれにも適用できる。
【００２１】
本発明に係る放送コンテンツの情報を検索可能な放送用システムにおいては、図１に示したように、放送コンテンツをフォワードチャネルで伝送する第１基地局１３０と、その放送コンテンツを受信可能であり且つ使用者が入力する検索の要求に従って放送コンテンツに関する情報の検索を実行する第１放送用端末機１５２と、第１放送用端末機１５２から情報の検索要求を受けた場合に応答情報（情報検索応答メッセージ）を提供する少なくとも１つの第２放送用端末機１５４と、この第２放送用端末機１５４から応答情報が提供された後に第１放送用端末機１５２から同情報の検索要求があった場合に、該検索要求をバックワードチャネルで伝送する第２基地局１４０と、当該検索要求をＰＤＳＮ１２０を通じて受信し、これに対応した応答情報を提供するＳＰサーバー１１０と、を含む。
【００２２】
このように構成された本発明に係る放送コンテンツの情報を検索可能な放送用端末機においては、検索要求側端末（第１放送用端末機１５２）の場合、図２に示したように、放送コンテンツを受信しまた情報の検索要求を送信可能な送受信部４１０と、受信した放送コンテンツに関する使用者所望情報の検索を実行可能な制御部４３０と、検索結果の情報を表示可能な表示部４５０と、放送コンテンツに関する情報を格納可能なメモリ４４０と、を少なくとも含む。
【００２３】
一方、被検索要求側端末（第２放送用端末機１５４等）の場合、検索要求（情報検索要求メッセージ）を受信しまたこれに応じる応答情報（情報検索応答メッセージ）を送信可能な送受信部と、検索要求に応じて放送コンテンツに関する情報を検索し、該検索結果の応答情報を提供可能な制御部と、放送コンテンツに関する情報を格納可能なメモリと、を少なくとも含む。
【００２４】
このように構成される本発明に係る放送用端末機の放送コンテンツ情報検索方法においては、図３に示したように、受信した放送コンテンツに関する情報を検索する要求が使用者からあるかどうかを確認する段階（Ｓ５１０）と、要求があった場合、その使用者所望の情報をメモリで検索する段階（Ｓ５２０）と、該当する情報がメモリに格納されていなかった場合、他の放送用端末機へ同情報の検索要求を送信する段階（Ｓ５３０）と、該検索要求に対する応答情報を受信する段階（Ｓ５４０）と、該当する情報が応答情報に含まれているかどうかを確認する段階（Ｓ５５０）と、該当する情報が応答情報に含まれていた場合、当該検索結果を予め決定されている方法により表示する段階（Ｓ５８０）と、を含む。
【００２５】
以下、このように構成された本発明に係る放送用端末機の放送コンテンツに関する情報を検索する方法について詳細に説明する。
【００２６】
まず、第１放送用端末機１５２は、放送コンテンツを伝送（放送）する第１基地局１３０を通じて放送ガイド情報を受信し、該受信した放送ガイド情報を使用者環境に合わせてディスプレイ装置に表示する。これにより使用者が所望の放送コンテンツを選択すると、該選択に係る放送コンテンツをフォワードチャネルで受信することができる。
【００２７】
次いで、第１放送用端末機１５２の制御部４３０は、受信している放送コンテンツに関する情報を検索する要求が使用者からあるかどうかを確認する（Ｓ５１０）。即ち、使用者は、放送コンテンツに関連した詳細な情報、例えば、当該放送コンテンツの登場人物、小道具、作家、撮影場所等に関する情報を検索すべく、入力部４２０を介し必要事項を第１放送用端末機１５２に入力して検索を要求することができる。
【００２８】
次いで、第１放送用端末機１５２の制御部４３０は、その使用者所望の情報がメモリ４４０に格納されているかどうか判断する（Ｓ５２０）。第１放送用端末機１５２は、多様な情報をメタデータフォームで格納し得るため、そのメタデータを検索して該当する情報があれば表示することができる。
【００２９】
一方、第１放送用端末機１５２の制御部４３０は、使用者所望の情報が格納されていなかった場合、このような場合に通信可能な端末として予め設定されている第２放送用端末機１５４に、同情報の検索を要求する（Ｓ５３０）。即ち、第１放送用端末機１５２は、格納されていなかった情報の検索を要求する情報検索要求メッセージを生成し、該情報検索要求メッセージを第２放送用端末機１５４に送信する。
【００３０】
この時の第１放送用端末機１５２は、第２放送用端末機１５４との間で検索要求に関連したメッセージを交信するために、アドホックネットワーク（Ad-hoc Network）を無線リンクストラクチャー（Wireless Link Structure）として使用する。したがって、サービス領域内の１つ以上の放送用端末機、即ち、第２放送用端末機１５４、第３放送用端末機１５６などと無線データ通信を行うことができる。検索要求を行う第１放送用端末機１５２は、情報検索要求メッセージを、ユニキャスト（Unicast）、マルチキャスト（Multicast）、ブロードキャスト（Broadcast）方式のうちいずれか１つの伝送方式で伝送し得るので、予め設定された１つ以上の放送用端末機、即ち、第２放送用端末機１５４、第３放送用端末機１５６に情報検索要求メッセージを伝送することができる。
【００３１】
このように無線でデータを送受信するために、第１放送用端末機１５２と第２放送用端末機１５４は、各アプリケーション（Application）を連結することで相互間にデータを交換し得るソフトウェアである知能エージェント（Agent）ベースの各ミドルウェア（Middleware）をインストールすることが好ましい。
【００３２】
次いで、情報検索要求メッセージを受信した第２放送用端末機１５４は、該情報検索要求メッセージに基づいて、その要求されている情報が自身のデータベースにあるかどうか検索する。このデータベースは、多くの人に共有されて使われることを目的として統合管理される情報の集合を意味しており、第１放送用端末機と第２放送用端末機だけではなく、放送コンテンツを受信可能な全ての放送用端末機は、放送コンテンツに関連した情報を各自のデータベースにそれぞれ構築することができる。
【００３３】
第２放送用端末機１５４は、検索の結果、該当する情報があった場合、当該情報を含む情報検索応答メッセージを生成して第１放送用端末機１５２へ返信する。
【００３４】
この、他の放送用端末機による検索過程において、第２放送用端末機１５４や第３放送用端末機１５６は、自身に格納しているメタデータから情報を検索するだけではなく、更に別の放送用端末機である第４放送用端末機１５８に情報検索を要求することもできる。即ち、図示の例で第３放送用端末機１５６は、格納しているメタデータに基づいて情報検索を行う一方、同情報の情報検索要求メッセージを生成して第４放送用端末機１５８に送信することで、第４放送用端末機１５８においても検索を実行させ、情報検索応答メッセージを返信させる。その結果、第３放送用端末機１５６は、自身及び第４放送用端末機１５８における検索結果を含む情報検索応答メッセージを生成して、第１放送用端末機１５２に伝送することができる。
【００３５】
第２放送用端末機１５４又は第３放送用端末機１５６は、第１放送用端末機１５２からの情報検索要求メッセージに係る情報が検索されなかった場合、該当する情報が無いことを知らせる情報検索応答メッセージを生成して第１放送用端末機１５２に返信し、該第１放送用端末機１５２が適切に対処し得るようにする。
【００３６】
第１放送用端末機１５２の制御部４３０は、他の放送用端末機から情報検索応答メッセージ（応答情報）を受信し（Ｓ５４０）、当該応答情報に、検索を要求した情報が含まれているか否か確認する（Ｓ５５０）。受信した情報検索応答メッセージに該当情報が含まれていなかった場合の第１放送用端末機１５２の制御部４３０は、同情報の検索を、バックワードチャネルを形成する第２基地局１４０、ＰＤＳＮ１２０を通じてＳＰサーバー１１０に要求することができる（S５６０）。
【００３７】
次いで、該ＳＰサーバー１１０は、第１放送用端末機１５２から受信された検索要求（要求メッセージ）に基づいて検索を実行し、該当する情報を含めた応答情報（応答メッセージ）を生成し、第１放送用端末機１５２に伝送する。
【００３８】
たとえば、車内に複数の放送用端末機がある時、該複数の放送用端末機は、衛星を通じて放送コンテンツを個別に受信し、その放送コンテンツに関する情報も個別に格納し得る。したがってこれら複数の放送用端末機は、多様な放送コンテンツに関連した情報を蓄積し検索することができる。このような複数の放送用端末機は、上記のようにして放送コンテンツに関連した情報を共有することができ、当該複数の放送用端末機間で情報を交信可能なので、ＳＰサーバー１１０に負荷をかけないで済むうえに、情報検索速度を向上させることも可能となる。
【００３９】
最終的に、第１放送用端末機１５２は、他の放送用端末機１５２，１５６による応答情報（Ｓ５４０）又はＳＰサーバー１１０による応答情報（Ｓ５７０）によって得られた情報を、予め決定された方法により表示部４５０に表示することができる（Ｓ５８０）。かつ、第１放送用端末機１５２は、その得られた情報を自身のデータベース、即ち、メモリ４４０に格納することができる。表示部４５０に表示する際の予め決定された方法は、得られた情報を放送コンテンツにオーバーレイさせて表示することが好ましい。
【図面の簡単な説明】
【００４０】
【図１】本発明に係る放送コンテンツの情報を検索可能な放送用システムを示した図面である。
【図２】本発明に係る放送コンテンツの情報を検索可能な放送用端末機を示した構成図である。
【図３】本発明に係る放送用端末機における放送コンテンツの情報を検索する方法を示したフローチャートである。
【図４】放送コンテンツの情報を検索する従来例としてＤＭＢシステムを示した図面である。
【図５】従来のＤＭＢ端末機における放送コンテンツの情報を検索する方法を示したフローチャートである。
【符号の説明】
【００４１】
１１０:ＳＰ（Service Provider）サーバー
１２０:ＰＤＳＮ（Packet Data Service Node）
１３０:第１基地局
１４０:第２基地局
１５２:第１放送用端末機
１５４:第２放送用端末機
１５６:第３放送用端末機
１５８:第４放送用端末機
４１０：送受信部
４２０：入力部
４３０：制御部
４４０：メモリ
４５０：表示部
【図１】
2006279953.tif 000003
【図２】
2006279953.tif 000004
【図３】
2006279953.tif 000005
【図４】
2006279953.tif 000006
【図５】
2006279953.tif 000007